(57)【特許請求の範囲】
【請求項１】
原稿読取装置の原稿載置台、或いはその近傍に、該原稿のセット位置を示す原稿セット表示版を具備する画像形成装置において、前記原稿セット表示版は、前記原稿読取装置の読取用光源の照射光によって該原稿の所定載置位置を選択して点灯表示できる点灯表示部を有し、前記読取用光源は、前記原稿載置台の上方に配置される原稿押え部材が閉状態から開状態に変わる際に点灯されることを特徴とする画像形成装置。
【請求項２】
前記読取用光源は、前記表示版の点灯の際の照射光量が前記原稿載置台に載置される原稿の読み取りの際の照射光量よりも小さいことを特徴とする請求項１記載の画像形成装置。
【請求項３】
前記原稿の所定載置位置を表示しうる点灯表示部は前記読取用光源からの光の露光口部として形成されており、該点灯部の点灯に際して、印字用給紙カセットに収納される用紙サイズ、並びに印字要求における印字倍率を基づいて原稿の所定載置位置を表示しうる該露光口部が選択されてなることを特徴とする請求項１又は２に記載の画像形成装置。
【請求項４】
前記点灯部と読取用光源との間には、スライド可能な遮蔽シートが設けられ、該遮蔽シートの所定の位置に形成した複数の開口部の少なくとも１つを選択して該選択開口部が前記露光口部と光源との間に位置することにより、前記印字用給紙カセットに収納される用紙サイズ、並びに印字要求における印字倍率を基づいて所望の原稿の載置位置を表示しうる該露光口部が点灯表示部として選択されてなることを特徴とする請求項３記載の画像形成装置。
【請求項５】
前記遮蔽シートは、その両端に設けられる巻取り部材によってスライド調整されることを特徴とする請求項４記載の画像形成装置。
【請求項６】
前記読取用光源は所定方向に移動可能に形成される一方、前記各露光口部は該光源の移動方向の異ならせた位置の該表示版の所定位置にそれぞれ開口形成され、前記光源が該露光口部の照射適正位置に選択的に移動するに際して、前記印字用給紙カセットに収納される用紙サイズ、並びに印字要求における印字倍率を基づいて所望の原稿の載置位置を表示しうる該露光口部が点灯表示部として選択されてなることを特徴とする請求項３記載の画像形成装置。
【発明の詳細な説明】
【０００１】
【発明の属する技術分野】
本発明は、電子写真複写機、インクジェット方式の複合機、スキャナー、FAX等の原稿読取り機能等を有する原稿のセット又ははセットの表示版或いはパネルを備えた画像形成装置に関する。
【０００２】
【従来技術】
一般に、画像形成装置においては、原稿のセットを適正化するために、原稿セット表示版が原稿読み取り台、或いはその近傍に配置されている。従来、このような原稿セット表示版は、原稿読み取り台のプラテンガラスの端部に板金を配置し、その板金に印刷等を施して原稿のセット位置が表示される簡単な手法を用いる場合が多い。また、特開昭５８−１５８６６０号報に開示される技術としては、プラテンガラス上に着色透明材料で原稿サイズの表示を行い、原稿読み取り時には透明材料のため読み取り画像の影響がない手法で、これを表示板として機能させているものがある。
【０００３】
ところで、このような種々の原稿セット表示版は、画像形成装置を使用するユーザが原稿の載置位置を予め知っているものとして配置され、特に板金に印刷を施すような状態では、全ての読み取り原稿のサイズが表示され、各々の適正配置位置を各自が予め認識しているものとしている。
しかしながら、このような各自の認識は曖昧なものがあり、また印刷してある文字等も小さいため、コピー機等の機械に熟れないユーザーにとっては、どの位置に原稿を正確にセットしたら良いのか戸惑うことがある。したがって、本発明は、コピー機等に不慣れなユーザーに、原稿のセット位置をわかり易くすることが望まれている。
【０００４】
【本発明が解決しようとする課題】
従って、本発明は前記課題に鑑みてなされたものであり、給紙部の用紙サイズ及びコピー倍率により適正な原稿サイズ及び原稿台への載置位置を点灯表示することで、不慣れなユーザーに適正な原稿載置位置を容易に認識させることができる画像形成装置を提供することにある。また、本発明は、原稿セット表示版の選択される点灯表示部を安価で簡単な構造で点灯表示させると共に、画像形成装置の良好な画像形成にも寄与することのできる画像形成装置を提供することにある。
【０００５】
【課題を解決するための手段】
本発明者等は、前記従来技術の課題及び要望に鑑み、鋭意検討を重ねた結果、原稿読取装置の光源が原稿セット表示版に利用できることに着目し、かかる光源を効率よく利用することにより、不慣れなユーザーに原稿位置を容易に認識させるだけでなく、画像形成装置の良好な画像形成にも寄与することを見出し、本発明に至ったものである。
【０００６】
（１）原稿読取装置の原稿載置台、或いはその近傍に、該原稿のセット位置を示す原稿セット表示版を具備する画像形成装置において、前記原稿セット表示版は、前記原稿読取装置の読取用光源の照射光によって該原稿の所定載置位置を選択して点灯表示できる点灯表示部を有し、前記読取用光源は、前記原稿載置台の上方に配置される原稿押え部材が閉状態から開状態に変わる際に点灯されることを特徴とする画像形成装置。
【０００７】
（２）前記読取用光源は、前記表示版の点灯の際の照射光量が前記原稿載置台に載置される原稿の読み取りの際の照射光量よりも小さいことを特徴とする前記１記載の画像形成装置。
（３）前記原稿の所定載置位置を表示しうる点灯表示部は前記読取用光源からの光の露光口部として形成されており、該点灯部の点灯に際して、印字用給紙カセットに収納される用紙サイズ、並びに印字要求における印字倍率を基づいて原稿の所定載置位置を表示しうる該露光口部が選択されてなることを特徴とする前記１又は２に記載の画像形成装置。
【０００８】
（４）前記点灯部と読取用光源との間には、スライド可能な遮蔽シートが設けられ、該遮蔽シートの所定の位置に形成した複数の開口部の少なくとも１つを選択して該選択開口部が前記露光口部と光源との間に位置することにより、前記印字用給紙カセットに収納される用紙サイズ、並びに印字要求における印字倍率を基づいて所望の原稿の載置位置を表示しうる該露光口部が点灯表示部として選択されてなることを特徴とする前記３記載の画像形成装置。
（５）前記遮蔽シートは、その両端に設けられる巻取り部材によってスライド調整されることを特徴とする前記４記載の画像形成装置。
【０００９】
（６）前記読取用光源は所定方向に移動可能に形成される一方、前記各露光口部は該光源の移動方向の異ならせた位置の該表示版の所定位置にそれぞれ開口形成され、前記光源が該露光口部の照射適正位置に選択的に移動するに際して、前記印字用給紙カセットに収納される用紙サイズ、並びに印字要求における印字倍率を基づいて所望の原稿の載置位置を表示しうる該露光口部が点灯表示部として選択されてなることを特徴とする前記３記載の画像形成装置。
【００１０】
【発明の実施の形態】
以下、本発明に係る画像形成装置の実施の形態を、添付図面を参照しながら詳しく説明する。尚、本発明の画像形成装置は以下の実施の形態に限るものではない。
図１は、本発明に係る画像形成装置の概略図である。図２は、図１におけるコピーランプユニット部分の概略図である。図３は、本発明に係る画像形成装置の原稿セット表示版の平面図である。図４は、図３に示す原稿セット表示版の印刷層及び原稿ガイドパネルの斜視図である。図５は原稿セット表示版の下方に配される遮蔽シートの斜視図である。図６は原稿セット表示版の下方に配される遮蔽シートの斜視図である。図７は、本発明に係る画像形成装置の制御、動作における印字工程のチャート図である。図８（ａ）及び（ｂ）は別の実施の形態に係る画像装置のコピーランプユニット部分の概略図である。図９は図８に示す画像形成装置の原稿セット表示版の平面図である。図１０は図８に示す原稿セット表示版の露光印刷域に対して移動するコピーランプの所定の適正配置の概略図である。図１１は図８に示す原稿セット表示版の露光印刷域に対して移動するコピーランプの所定の適正配置の概略図である。図１２は図８に示す原稿セット表示版の露光印刷域に対して移動するコピーランプの所定の適正配置の概略図である。
【００１１】
先ず、本発明に係る画像形成装置の特徴を説明する前に、画像形成装置の一般的な構造を図１に従って説明する。
図１乃至図６に示すように画像形成装置１は、大別して、原稿読み取り部２、給紙部３、印字部４、排紙部５に分類される。原稿読み取り部（原稿読取装置）２の原稿載置台（プラテンガラス）２２上に印字を希望する原稿２６が載置された後、ユーザが給紙部３の給紙カセット３１に用紙３２を装着し、装置の外装前面部に配置される操作パネル上の条件入力キー（印字枚数／印字倍率等々）を入力した後に、スタートキーを押下するとコピー動作が展開される。
【００１２】
このようにして印字を開始する画像形成装置１は、まず、スタートボタンが押されると、ほぼ同時にメイン駆動モーターが回転し、各駆動ギャーが回転する。その後、選択された給紙ローラ３３が回転し用紙３２が給紙される。用紙３２は、搬送ローラー３４を通過、レジストローラ３５へ到達する。ここで用紙３２は、感光体ドラム１０上の画像先端部と同期をとるため一時停止する。用紙３２の先端部は均一にレジストローラ３５に押しつけ用紙の先端の補正を行なわれる。
【００１３】
一方、原稿読み取り部２においてコピーランプ２３が点灯され、またＭＣユニット１１により感光体ドラム１０に帯電される。次に、コピーランプユニット２４は矢印Ａ方向へ移動し露光を開始し、コピーランプ２３により照射された光は、プラテンガラス２２を通過及び反射し、第１ミラー２５から第２／３ミラーユニット２６、光学レンズ２７、ＣＣＤ２８と順に入力されることによって読み取られる。このようにして読み取られた画像情報は、図示しない装置の制御部のＣＣＤ回路で、入射光の画像情報を電気的信号に変換し画像情報信号は、設定された条件で画像処理が行われ、LSUユニット１４へプリントデータとして送信される。
【００１４】
LSUユニット１４からのレーザ光は、ポリゴンミラー、各種レンズを通して、感光体ドラム１０へ照射されて、感光体ドラム１０上に静電潜像が形成される。
その後、現像槽中のＭＧローラ１５のトナーが、感光体ドラム１０面上に引き寄せられて静電潜像はトナーによって感光体ドラム１０上の電位ギャップに応じて顕像化される。作像される用紙３２は、タイミングを合わせてレジストローラ３５により、感光体ドラム１０方向へ搬送され、転写ユニット１６により感光体ドラム１０上のトナーが用紙３２に転写される。感光体ドラム１０上の残留したトナーはドラムユニットのクリーニングブレードによりかきとられクリーナーユニットにより回収される。他方トナーの転写が終了した用紙３２は、定着装置４２の上ヒートローラ４３、下ヒートローラ４４を通過して、熱と圧力が加えられ、用紙３２上の未定着トナーが用紙３２に溶融、固着され、排紙ローラ４５により機外へと排出される。
【００１５】
前記画像形成装置１において、図２乃至図４に示すように、本実施の形態では原稿読み取り部２のプラテンガラス（原稿載置台）２２に原稿サイズに合わせた原稿２６の載置位置を点灯表示することができる原稿セット表示版２１を具備する。そして、原稿セット表示版２１は前記原稿読み取り部２のコピーランプ（読取用光源）２３の照射光により原稿の載置位置を選択して点灯表示できる。
【００１６】
従来、原稿セット表示は板金上に刻印されている場合と、板金上に開口部を有し、ＬＥＤ灯での表示が行われているが、それらの告知は用紙サイズの大きさに合わせた単なる適正な位置が全てセット表示される。このため、ユーザが所望する原稿の載置位置を容易に確認することが困難であった。
このような不具合に対し、前記原稿セット表示版２１は、選択される所望の位置を前記コピーランプ２３により点灯させることができるので、ユーザは視感を通して、正確且つ適正な原稿２６のセット位置を容易に認識することができる。さらに、原稿読み取り時にコピーランプ２３が予め暖められた状態（プレヒート状態）となり、印字時には光源の光量が安定し原稿読み取り精度の向上（シャーディング補正の精度アップ、並びに読み取り時の光量変化が少なくなる等の精度の向上）が図れる。
【００１７】
即ち、図２乃至図４に示すように、前記原稿セット表示版２１は、プラテンガラス２２の端部に配され、半透明の原稿ガイドパネル５１ａと原稿ガイドパネルを覆う印刷層５１とからなる。印刷層５１の所定位置には前記原稿のセット位置を表示しうる点灯表示部である半透明化された露光口部５２が、各露光口部５２の説明である原稿サイズの位置、文字等の印刷物として施されている。
図４に示すように原稿ガイドパネル５１の素地は半透明素材で出来ており、表面の上記印刷層は文字部白抜き（図においては便宜上黒字で示す。）処理されており、文字部の下部より光が照射されると文字部のみが点灯される所謂露光口部５２となっている。
従って、原稿セット表示板２１の点灯部はコピーランプ２３からの光の露光口部５２として形成されており、その点灯部の点灯に際して、印字用給紙カセットに収納される用紙サイズ、並びに印字要求における印字倍率を基づいて所望の原稿の載置位置を表示しうる露光口部５２は以下の構成により選択されてなる。
【００１８】
前記点灯部が形成される原稿セット表示版２１とコピーランプ２３との間には、スライド可能な遮蔽シート５４が設けられる。図５及び図６に示すように遮蔽シート５４の所定の位置には、複数の開口部５５、５６、５７が形成されている。また、遮蔽シート５４の両端には一対の巻き取りロール５８、５９が設けられ、ロール５８、５９は図示しない制御装置からの信号に基いて駆動する駆動装置によって巻き取り巻き戻しされる。これにより、遮蔽シート５４は表示版２１とコピーランプ２３との間でスライドが可能となる。
従って、原稿の載置位置を照射するための光源（コピーランプ２３）を設けなくても、また動かさなくても、遮蔽シート５４を動作することで容易に正確な表示が可能となる。
【００１９】
また、プラテンガラス２２の上方にはＯＣカバー（原稿押え部材）２９が配され、コピーランプ２３は、ＯＣカバー２９が閉状態から開状態に変わる際に点灯され、ＯＣかバーが２９開状態から閉状態に変わる際に消灯される。ＯＣカバー２９の開閉状態の検出は、ＯＣカバー２９の側面に配置されるＯＮ−ＯＦＦセンサーによって検出される。
更に、コピーランプ２３は、プラテンガラス２２に載置される原稿２６の読み取りの際の照射光量の方が表示版２１の点灯する際の照射光量より大きくなるように設定してある。
【００２０】
このような画像形成装置１で印字要求する場合、図７の原稿コピーの印刷工程のフローチャート図で説明すると、先ず、待機状態から、画像形成装置１に外装全面の操作パネルに、印字用給紙カセットに収納される用紙サイズ、並びに印字要求における印字倍率の情報を入力し、印字要求をする。
【００２１】
次に、ＯＣカバー２９を開状態にする。装置は給紙カセットに収納されている用紙サイズ及び印字要求の倍率設定から適正用紙サイズを判定する。かかる情報に基いて制御装置は駆動装置を駆動させ、遮蔽シート５４をスライドさせる。ここで、適正原稿サイズ位置まで遮蔽シート５４が移動したか否かを判定する。即ち、遮蔽シート５４の移動により、適正に選択した遮蔽シート５４の開口部５５、５６、５７（図５においては５７、図６においては５６である。）が選択された露光口部５２とコピーランプ２３との間に位置するか判定する。
【００２２】
イエスの場合は、コピーランプ２３が光源量Ａで点灯され、その結果、選択された露光口部５２も点灯されることとなる。ユーザーが表示版２１の点灯部を認識しながら原稿２６を載置する。そして、ＯＣカバー２９を閉じる。ＯＣカバー２９の閉状態の判定がイエスの場合にコピーランプ２３がオフ消灯される。次に、印字スタートキーが押される。コピーランプ２３が光源量Ｂで点灯される。原稿の読み取り処理が成される。プラテンガラス上に読み取り処理原稿が有るか否かを判断する。印字すべき原稿が存在すれば、再び印字要求処理を繰り返す。また、印字すべき原稿がなければ、待機状態となる。
【００２３】
このような構成の画像形成装置１にあっては、ユーザが必要とする原稿載置位置を明確に表示できる。すなわち、印字用紙サイズと倍率によって必要な部分の表示部のみが点灯表示され、原稿の置き間違いが減少する。更に、倍率によっての原稿も規制されるため、収納される用紙サイズに合った印字倍率が選択でき、ミスコピーの低減にも繋がる。
【００２４】
また、前記原稿セット表示版２１の表示は、ユーザが原稿を載置する時に表示を行えば良く、載置のためにＯＣカバー２９を開放する時に点灯表示を行うことで、確認が容易に出来る。また、コピーランプ２３はＯＣカバー２９が閉状態の時にオフできるので装置の待機中の省電力化も可能となる。
【００２５】
更に、原稿セット表示版２１の表示は、ユーザが原稿を載置する時に点灯表示を認識できればよく、原稿読み取り走査時と同一の光量は必ずしも必要としない。
このため、原稿読み取り時の点灯光量より表示版２１の点灯時の点灯光量を小さくすることは、ユーザの視感に好ましく、装置としての省電力化も可能となる。
さらに、原稿読み取り時に光源が予め暖められた状態（プレヒート状態）となり、光源の光量が安定し原稿読み取り精度の向上（シャーディング補正の精度アップ、並びに読み取り時の光量変化が少なくなる。）が図れる。
【００２６】
次に、図８乃至図１２を参照しながら本発明に係る画像形成装置７１の別の実施の形態について説明する。
画像形成装置７１は基本的に図１で示した画像形成装置１と略同様な構成となっているが、異なる点は、原稿読み取り部における構成において、スラド可能な遮光シート５１が無く、図８に示すようにコピーランプ２３が対向する原稿セット表示版２１の印刷層７２に対して所定方向Ｂに移動可能に配せられることである。
また、図９に示すように印刷層７１の露光口部５２、即ち、各露光印刷域は、図４で示したと同様に文字部が白抜き処理されて、移動方向を異ならせたコピーランプの位置に形成されており、各印刷域はコピーランプの移動方向に対して、必ずしも直角に並んで形成されてはいない。
【００２７】
図１０は、印刷層７２のサイズ表示（Ａ３／Ａ４・Ａ４Ｒ／Ａ５）の露光口部５２を点灯表示する際のコピーランプ２３の適正位置を示すものである。
図１１は、印刷層７２のサイズ表示（Ｂ４／Ｂ５・Ｂ５／Ｂ５Ｒ）の露光口部５２を点灯表示する際のコピーランプ２３の適正位置を示すものである。
図１２は、印刷層７２のサイズ表示（Ａ５Ｒ）の露光口部５２を点灯表示する際のコピーランプ２３の適正位置を示すものである。
【００２８】
従って、前記読取用光源であるコピーランプ２３は所定方向に移動可能に形成される一方、点灯表示部としての各露光口部５２はそのランプ２３の移動方向の異ならせた位置の印刷層７２の所定位置にそれぞれ形成されているので、コピーランプ２３が露光口部（各露光印刷域）５２の照射適正位置に選択的に移動すると、印字用給紙カセット３１に収納される用紙３２のサイズ、並びに印字要求における印字倍率を基づいて所望の原稿のセットを表示しうる露光口部５２を選択することができる。
このため、画像形成装置７１も、図２で示した画像形成装置１と同様な作用効果を十分に奏する。
【００２９】
【発明の効果】
以上、説明したように、原稿読取装置の原稿載置台、或いはその近傍に、該原稿のセット位置を示す原稿セット表示版を具備する本発明に係る画像形成装置によれば、前記原稿セット表示版が前記原稿読取装置の読取用光源の照射光により該原稿の所定載置位置を選択して点灯表示できる点灯表示部を有するので、不慣れなユーザーに原稿の載置位置を容易に認識させることができる。また、原稿セット表示版の選択される点灯表示部を安価で簡単な構造で点灯表示させると共に、画像形成装置の良好な画像形成にも寄与することのできるものである。
【図面の簡単な説明】
【図１】図１は、本発明に係る画像形成装置の概略図である。
【図２】図２は、図１におけるコピーランプユニット部分の概略図である。
【図３】図３は、本発明に係る画像形成装置の原稿セット表示版の平面図である。
【図４】図４は、図３に示す原稿セット表示版の印刷層及び原稿ガイドパネルの斜視図である。
【図５】図５は原稿セット表示版の下方に配される遮蔽シートの斜視図である。
【図６】図６は原稿セット表示版の下方に配される遮蔽シートの斜視図である。
【図７】図７は、本発明に係る画像形成装置の制御、動作における印字工程のチャート図である。
【図８】図８（ａ）及び（ｂ）は別の実施の形態に係る画像装置のコピーランプユニット部分の概略図である。
【図９】図９は、図８に示す画像形成装置の原稿セット表示版の平面図である。
【図１０】図１０は図８に示す原稿セット表示版の露光印刷域に対して移動するコピーランプの適正配置の概略図である。
【図１１】図１１は、図８に示す原稿セット表示版の露光印刷域に対して移動するコピーランプの適正配置位置の概略図である。
【図１２】図１２は、図８に示す原稿セット表示版の露光印刷域に対して移動するコピーランプの適正配置位置の概略図である。
【符号の説明】
１      画像形成装置
３      給紙部
４      印字部
５      排紙部
１０    感光体ドラム
２１    原稿セット表示版
２２    プラテンガラス
２３    コピーランプ
２４    ランプユニット
２６    原稿
２７    光学レンズ
２９    ＯＣカバー
３１    給紙カセット
３２    用紙
５１    印刷層
５１ａ  原稿ガイドパネル
５２    露光口部
５４    遮蔽シート
【図１】
0003722756.tif 000002
【図２】
0003722756.tif 000003
【図３】
0003722756.tif 000004
【図４】
0003722756.tif 000005
【図５】
0003722756.tif 000006
【図６】
0003722756.tif 000007
【図７】
0003722756.tif 000008
【図８】
0003722756.tif 000009
【図９】
0003722756.tif 000010
【図１０】
0003722756.tif 000011
【図１１】
0003722756.tif 000012
【図１２】
0003722756.tif 000013